【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】
入力信号を符号化する方法であって、
前記入力信号を受信し、該入力信号の周波数サブバンドを表すサブバンド信号成分のサブバンド信号ブロックを生成するステップと、
前記サブバンド信号ブロック内の成分の大きさをある閾値と比較し、それぞれの成分の大きさに従って２以上のクラスに各成分を配列し、利得率を得るステップと、
前記サブバンド信号ブロックのいくつかの成分の大きさを変更するために、前記クラスの一つに配列された成分に前記利得率を適用するステップと、
前記サブバンド信号ブロックの前記成分を量子化するステップと、
前記成分の分類を伝達する符号化信号制御情報及び前記量子化サブバンド信号成分を表す非均一長符号にアセンブルするステップと、を有することを特徴とする方法。
【請求項２】
前記利得率に従って変更されることのない大きさを有する量子化されたサブバンド信号成分を示す符号化された信号に制御情報をアセンブルし、該制御情報は、量子化されたサブバンド信号成分を表すためには用いられない１以上の予備の符号によって伝達されることを特徴とする請求項１記載の方法。
【請求項３】
利得率に依存するが、前記量子化された成分の量子化ステップサイズには依存しない関数から前記閾値を得るステップを含むことを特徴とする請求項１又は２に記載の方法。
【請求項４】
利得率及び量子化された成分の量子化ステップサイズに依存する関数から前記閾値を得るステップを含むことを特徴とする請求項１又は２に記載の方法。
【請求項５】
前記成分にビットを順応して割り当てることによって該成分が配列されている前記クラスに従って、前記サブバンド信号ブロック内の各成分のためのそれぞれの量子化ステップサイズを順応して変化させるステップと、
前記それぞれの量子化ステップサイズを保つ間、変更された大きさを持つ成分に割り当てられたビット数が減らされるように、前記利得率を得るステップと、
を有することを特徴とする請求項１乃至４のいずれかに記載の方法。
【請求項６】
分割インターバル量子化関数に従って前記クラスの一つに配列されている成分を量子化するステップを有することを特徴とする請求項１乃至５のいずれかに記載の方法。
【請求項７】
成分の大きさに従って３以上のクラスの１つに各成分を配列する方法であって、それぞれのクラスに結び付けられている１以上の追加の利得率を得るステップと、
前記結び付けられているクラスのそれぞれに配列される成分に前記追加の利得率のそれぞれを適用するステップと、
を有することを特徴とする請求項１乃至６のいずれかに記載の方法。
【請求項８】
前記サブバンド信号ブロック内の少なくともいくつかの成分大きさを第２の閾値と比較し、それぞれの成分の大きさに従って各成分を２以上の第２のクラスの一つに配列し、第２の利得率を得るステップと、
前記サブバンド信号ブロック内のいくつかの成分の大きさを変更するために、前記第２のクラスの一つに配列される成分に前記第２の利得率を適用するステップとを有し、
前記非均一長符号は、前記利得率及び前記第２の利得率によって変更されるような量子化された成分を表すことを特徴とする請求項１乃至７のいずれかに記載の方法。
【請求項９】
１以上の非過負荷量子化器を用いて前記成分の少なくともいくつかを量子化することを特徴とする請求項１乃至８のいずれかに記載の方法。
【請求項１０】
符号化信号を復号する方法であって、
前記符号化された信号を受信してそこから制御信号及び非均一長符号を得て、入力信号の周波数サブバンドを表す量子化サブバンド信号成分を該非均一長符号から得るステップと、
非量子化された成分のサブバンド信号のブロックを得るために、前記サブバンド信号成分を非量子化するステップと、
非量子化された成分の変更されたサブバンド信号のブロックを得るための前記制御情報に従って、非量子化された成分のいくつかの大きさを変更するために、利得率を適用するステップであって、前記変更されたサブバンド信号のブロックにおける各非量子化された成分は、閾値と比べそれぞれの非量子化された成分の大きさに従い２以上のクラスのうちの１つにあり、前記利得率に従って変更されたすべての非量子化された成分は同じクラスにあることを特徴とする、ステップと、
前記非量子化された成分の変更されたサブバンド信号のブロックに応じて出力信号を生成するステップと、
を有することを特徴とする方法。
【請求項１１】
前記利得率に従って変更されることのない大きさを有する量子化されたサブバンド信号成分を示す符号化された信号から、量子化されたサブバンド信号成分を表すためには用いられない１以上の予備の符号によって伝達される制御情報を得ることを特徴とする請求項１０記載の方法。
【請求項１２】
分割インターバル量子化関数を補完する非量子化関数に従って、前記サブバンド信号ブロック内の量子化された成分のいくつかを非量子化するステップを有することを特徴とする請求項１０又は１１に記載の方法。
【請求項１３】
前記制御情報に従って非量子化された成分のいくつかの大きさを変更するために第２の利得率を適用するステップを有することを特徴とする請求項１０乃至１２のいずれかに記載の方法。
【請求項１４】
それぞれの非過負荷量子化器を補完する１以上の非量子化器を用いて前記量子化された成分の少なくともいくつかを非量子化することを特徴とする請求項１０乃至１３のいずれかに記載の方法。
【請求項１５】
入力信号を符号化する装置であって、
前記入力信号を受信する入力と、該入力信号の周波数サブバンドを表すサブバンド信号成分のサブバンド信号ブロックを供給するための出力とを有する分析フィルタと、
前記サブバンド信号ブロックの成分の大きさとある閾値を比較し、それぞれの成分の大きさに従って２以上のクラスに各成分を配列し、利得率を得る、前記分析フィルタに接続されるサブバンド信号ブロック分析器と、
前記サブバンド信号ブロックにおけるいくつかの成分の大きさを変更するために、前記利得率を前記クラスの一つに配列された成分に適用する、前記サブバンド信号ブロック分析器に接続されるサブバンド信号成分プロセッサと、
前記利得率に従って変更された大きさを有する前記サブバンド信号ブロックの成分を量子化する、前記サブバンド信号プロセッサに接続される第１の量子化器と、
量子化サブバンド信号成分を表す非均一長符号と前記成分の分類を伝達する制御情報を符号化信号にアセンブルする、前記第１の量子化器に接続されるフォーマッタと、
を備えることを特徴とする装置。
【請求項１６】
分割インターバル量子化関数に従って前記クラスの１つに配列されている成分を量子化する、前記サブバンド信号ブロック分析器に接続される第２の量子化器を備え、前記フォーマッタは前記第２の量子下記にも接続されていることを特徴とする請求項１５に記載の装置。
【請求項１７】
前記フォーマッタは、前記利得率に従って変更されることのない大きさを有する量子化されたサブバンド信号成分を示す符号化信号に制御情報をアセンブルし、該制御情報は、量子化されたサブバンド信号成分を表すためには用いられない１以上の予備の符号によって伝達されることを特徴とする請求項１５又は１６に記載の装置。
【請求項１８】
利得率に依存するが、前記量子化された成分の量子化ステップサイズには依存しない関数から前記閾値を得ることを特徴とする請求項１５乃至１７のいずれかに記載の装置。
【請求項１９】
利得率及び量子化された成分の量子化ステップサイズに依存する関数から前記閾値を得ることを特徴とする請求項１５乃至１７のいずれかに記載の装置。
【請求項２０】
前記成分にビットを順応して割り当てることによって該成分が配列されている前記クラスに従って、前記サブバンド信号ブロック内の各成分のためのそれぞれの量子化ステップサイズを順応して変化させ、該それぞれの量子化ステップサイズを保つ間、変更された大きさを持つ成分に割り当てられたビット数が減らされるように、前記利得率を得ることを特徴とする請求項１５乃至１９のいずれかに記載の装置。
【請求項２１】
成分の大きさに従って３以上のクラスの１つに各成分を配列し、それぞれのクラスに結び付けられている１以上の追加の利得率を得て、前記結び付けられているクラスのそれぞれに配列される成分に前記追加の利得率のそれぞれを適用することを特徴とする請求項１５乃至２０のいずれかに記載の装置。
【請求項２２】
前記サブバンド信号ブロック分析器は、前記サブバンド信号ブロック内の少なくともいくつかの成分大きさを第２の閾値と比較し、それぞれの成分の大きさに従って各成分を２以上の第２のクラスの一つに配列し、第２の利得率を得て、
前記サブバンド信号成分プロセッサは、前記サブバンド信号ブロック内のいくつかの成分の大きさを変更するために、前記第２のクラスの一つに配列される成分に前記第２の利得率を適用し、
前記非均一長符号は、前記利得率及び前記第２の利得率によって変更されるような量子化された成分を表すことを特徴とする請求項１５乃至２１のいずれかに記載の装置。
【請求項２３】
１以上の非過負荷量子化器を用いて前記成分の少なくともいくつかを量子化することを特徴とする請求項１５乃至２２のいずれかに記載の装置。
【請求項２４】
符号化信号を復号する装置であって、
前記符号化信号を受信してそこから制御情報及び非均一長符号を得、該非均一長符号から量子化サブバンド信号成分を得るデフォーマッタと、
第１の非量子化された成分のブロックを得るために、前記制御情報に従って前記ブロックのいくつかのサブバンド信号成分を非量子化する、前記デフォーマッタに接続される第１の非量子化器と、
非量子化された成分の変更されたサブバンド信号のブロックを得るための前記制御情報に従って、前記サブバンド信号ブロックにおけるいくつかの第１の非量子化された成分の大きさを変更するために、利得率を適用する、前記第１の非量子化器に接続されるサブバンド信号ブロックプロセッサであって、前記変更されたサブバンド信号のブロックにおける各非量子化された成分は、閾値と比べそれぞれの非量子化された成分の大きさに従い２以上のクラスのうちの１つにあり、前記利得率に従って変更されたすべての非量子化された成分は同じクラスにあることを特徴とする、サブバンド信号ブロックプロセッサと、
前記サブバンド信号プロセッサに接続される入力と、出力信号を供給する出力とを有する合成フィルタと、
を備えることを特徴とする装置。
【請求項２５】
第２の非量子化された成分を得るために、分割インターバル量子化関数を補完する非量子化関数に従ってブロック内の他のサブバンド信号成分を非量子化する、前記デフォーマッタに接続される第２の非量子化器を備え、前記合成フィルタは、前記第２の非量子化器に接続される入力を有することを特徴とする請求項２４記載の装置。
【請求項２６】
前記デフォーマッタは、前記利得率に従って変更されることのない大きさを有する量子化されたサブバンド信号成分を示す符号化信号から制御情報を得て、前記制御情報は、量子化されたサブバンド信号成分を表すためには用いられない１以上の予備の符号によって伝達されることを特徴とする請求項２４又は２５記載の装置。
【請求項２７】
前記サブバンド信号ブロックプロセッサは、前記制御情報に従って非量子化された成分のいくつかの大きさを変更するために第２の利得率を適用することを特徴とする請求項２４乃至２６のいずれかに記載の装置。
【請求項２８】
それぞれの非過負荷量子化器を補完する１以上の非量子化器を用いて前記量子化された成分の少なくともいくつかを非量子化することを特徴とする請求項２４乃至２７のいずれかに記載の装置。
【請求項２９】
入力信号を符号化するための方法を装置に実行させるコンピュータプログラム命令を備える読取可能な媒体であって、該方法は、
前記入力信号を受信し、該入力信号の周波数サブバンドを表すサブバンド信号成分のサブバンド信号ブロックを生成するステップと、
前記サブバンド信号ブロック内の成分の大きさをある閾値と比較し、成分の大きさに従って２以上のクラスに各成分を配列し、利得率を得るステップと、
前記サブバンド信号ブロックのいくつかの成分の大きさを変更するために、前記クラスの一つに配列された成分に前記利得率を適用するステップと、
前記サブバンド信号ブロックの前記成分を量子化するステップと、
前記成分の分類を伝達する符号化された信号制御情報及び前記量子化されたサブバンド信号成分を表す非均一長符号にアセンブルするステップと、
を有することを特徴とする読取可能な媒体。
【請求項３０】
前記方法により、前記利得率に従って変更されない大きさを有する量子化されたサブバンド信号成分を示す符号化された信号に制御情報をアセンブルし、該制御情報は、量子化されたサブバンド信号成分を表すために用いられない１以上の予備の符号によって伝達されることを特徴とする請求項２９記載の読取可能な媒体。
【請求項３１】
前記方法は、利得率に依存するが、前記量子化された成分の量子化ステップサイズには依存しない関数から前記閾値を得るステップを含むことを特徴とする請求項２９又は３０記載の読取可能な媒体。
【請求項３２】
前記方法は、利得率及び量子化された成分の量子化ステップサイズに依存する関数から前記閾値を得るステップを含むことを特徴とする請求項２９又は３０に記載の読取可能な媒体。
【請求項３３】
前記方法は、前記成分にビットを順応して割り当てることによって該成分が配列されている前記クラスに従って、前記サブバンド信号ブロック内の各成分のためのそれぞれの量子化ステップサイズを順応して変化させるステップと、
前記それぞれの量子化ステップサイズを保つ間、変更された大きさを持つ成分に割り当てられたビット数が減らされるように、前記利得率を得るステップと、
を有することを特徴とする請求項２９乃至３２のいずれかに記載の読取可能な媒体。
【請求項３４】
前記方法は、分割インターバル量子化関数に従って前記クラスの１つに配列されている成分を量子化するステップを有することを特徴とする請求項２９乃至３３のいずれかに記載の読取可能な媒体。
【請求項３５】
前記方法は、成分の大きさに従って３以上のクラスの一つに各成分を配列するステップと、
それぞれのクラスに結び付けられる１以上の追加の利得率を得るステップと、
前記結び付けられたそれぞれのクラスに配列される成分に前記追加の利得率のそれぞれを適用するステップと、
を有することを特徴とする請求項２９乃至３４のいずれかに記載の読取可能な媒体。
【請求項３６】
前記方法は、
前記サブバンド信号ブロック内の少なくともいくつかの成分大きさを第２の閾値と比較し、成分の大きさに従って各成分を２以上の第２のクラスの一つに配列し、第２の利得率を得るステップと、
前記サブバンド信号ブロック内のいくつかの成分の大きさを変更するために、前記第２のクラスの一つに配列される成分に前記第２の利得率を適用するステップとを有し、
前記非均一長符号は、前記利得率及び前記第２の利得率によって変更されるような量子化された成分を表すことを特徴とする請求項２９乃至３５のいずれかに記載の読取可能な媒体。
【請求項３７】
前記方法は、１以上の非過負荷量子化器を用いて前記成分の少なくともいくつかを量子化することを特徴とする請求項２９乃至３６のいずれかに記載の読取可能な媒体。
【請求項３８】
符号化された信号を復号するための方法を装置に実行させるコンピュータプログラム命令を備える読取可能な媒体であって、該方法は、
前記符号化信号を受信してそこから制御信号及び非均一長符号を得て、入力信号の周波数サブバンドを表す量子化されたサブバンド信号成分を該非均一長符号から得るステップと、
非量子化されたサブバンド信号成分を得るために、前記サブバンド信号成分を非量子化するステップと、
前記制御情報に従って、非量子化された成分のいくつかの大きさを変更するために、利得率を適用するステップと、
前記サブバンド信号の非量子化された成分に応じて出力信号を生成するステップと、
を有することを特徴とする読取可能な媒体。
【請求項３９】
前記方法は、前記利得率に従って変更されない大きさを有する量子化されたサブバンド信号成分を示す符号化された信号から、量子化されたサブバンド信号成分を表すためには用いられない１以上の予備の符号によって伝達される制御情報を得ることを特徴とする請求項３８に記載の読取可能な媒体。
【請求項４０】
前記方法は、分割インターバル量子化関数を補完する非量子化関数に従って、前記サブバンド信号ブロック内の量子化された成分のいくつかを非量子化するステップを有することを特徴とする請求項３８又は３９に記載の読取可能な媒体。
【請求項４１】
前記方法は、前記制御情報に従って非量子化された成分のいくつかの大きさを変更するために第２の利得率を適用するステップを有することを特徴とする請求項３８乃至４０のいずれかに記載の読取可能な媒体。
【請求項４２】
前記方法は、それぞれの非過負荷量子化器を補完する１以上の非量子化器を用いて前記量子化された成分の少なくともいくつかを非量子化することを特徴とする請求項３８乃至４１のいずれかに記載の読取可能な媒体。